(57)【特許請求の範囲】
【請求項１】
オン／オフにより電源の供給を制御する電源スイッチ手段と、
前記電源スイッチ手段と並列に接続されたリレーを駆動させるリレー駆動手段と、
記憶装置に対する、当該画像形成装置の設定値及び状態を含むデータの保存を制御する制御手段と、を有し、
前記制御手段は、
前記電源スイッチ手段がオフされてから前記電源の供給が保持される所定の電圧保持期間の間に、前記電源スイッチ手段がオフされたことを検出して前記リレー駆動手段により前記リレーをオフからオンとし、前記記憶装置への前記データの保存を実行する画像形成装置。
【請求項２】
前記電源スイッチ手段の後段に補助電源が設けられた請求項１記載の画像形成装置。
【請求項３】
前記補助電源は、キャパシタである請求項２記載の画像形成装置。
【請求項４】
前記電源スイッチ手段がオフされたことを検出する電源オフ検出手段を有し、
前記電源オフ検出手段は、論理回路により構成される請求項１ないし３の何れか一項に記載の画像形成装置。
【請求項５】
前記リレーは、当該画像形成装置がスリープモードであるときのみオフとされており、
前記制御手段は、
前記スリープモードにおいて前記電源スイッチ手段がオフされたとき、前記リレーをオンさせる請求項１ないし４の何れか一項に記載の画像形成装置。
【請求項６】
オン／オフにより電源の供給を制御する電源スイッチ手段と、前記電源スイッチ手段と並列に接続されたリレーと、当該画像形成装置の設定値及び状態を含むデータが記憶される記憶装置と、を有する画像形成装置によるデータの保存方法であって、
前記電源スイッチ手段がオフされてから前記電源の供給が保持される所定の電圧保持期間の間に、前記電源スイッチ手段がオフされたことを検出して前記リレーをオフからオンとし、前記記憶装置への前記データの保存を実行させるデータの保存方法。
【発明の詳細な説明】
【技術分野】
【０００１】
本発明は、所定のタイミングでＨＤＤにデータを記憶する画像形成装置、この画像形成装置によるデータの保存方法に関する。
【背景技術】
【０００２】
近年の複写機等の画像形成装置では、ＨＤＤ（Hard Disk Drive）を有するものがある。ＨＤＤを有する画像形成装置では、ＨＤＤにアクセス中に電源が切断された場合、正しい終了処理が行えない、ＨＤＤ及びデータが破壊される等の不都合が発生する可能性がある。
【０００３】
そこで従来の画像形成装置では、この不都合を回避するため、主電源スイッチをリレーでバイパスし、ＨＤＤへのアクセスが完了するまで電源を確保するようにしている（特許文献１）。
【０００４】
また従来の画像形成装置では、スリープモード中に電源を切断された場合を考慮して、スリープモード中はリレーをオンとするものがある。このような画像形成装置では、スリープモード中にリレーがオンとなることで消費電力の増大を招くため、スリープモードに移行するときにシステム設定やシステム状態等を示すデータのＨＤＤへ保存を行い、データの保存後はリレーをオフさせる。
【発明の概要】
【発明が解決しようとする課題】
【０００５】
しかしながら、スリープモードへ移行する度にＨＤＤへデータを保存する場合、スリープモードへ移行するまでの移行時間が長くなる。またデータ保存を行う期間は、通常の動作時と同等の消費電力がかかり、消費電力が増加するという問題があった。
【０００６】
本発明は、上記事情を鑑みてこれを解決すべく成されたものであり、スリープモードへ移行する際の移行時間を短くして消費電力を低減させることが可能な画像形成装置、データの保存方法を提供することを目的としている。
【課題を解決するための手段】
【０００７】
本発明は、上記目的を達成すべく以下の如き構成を採用した。
【０００８】
本発明の画像形成装置は、オン／オフにより電源の供給を制御する電源スイッチ手段と、
前記電源スイッチ手段と並列に接続されたリレーを駆動させるリレー駆動手段と、記憶装置に対する、当該画像形成装置の設定値及び状態を含むデータの保存を制御する制御手段と、を有し、前記制御手段は、前記電源スイッチ手段がオフされてから前記電源の供給が保持される所定の電圧保持期間の間に、前記電源スイッチ手段がオフされたことを検出して前記リレー駆動手段により前記リレーをオフからオンとし、前記記憶装置への前記データの保存を実行する構成とした。
【０００９】
また本発明の画像形成装置は、前記電源スイッチ手段の後段に補助電源が設けられた構成としても良い。
【００１０】
また本発明の画像形成装置において、前記補助電源は、キャパシタである構成としても良い。
【００１１】
また本発明の画像形成装置において、前前記電源スイッチ手段がオフされたことを検出する電源オフ検出手段を有し、前記電源オフ検出手段は、論理回路により構成される
【００１２】
また本発明の画像形成装置において、前記リレーは、当該画像形成装置がスリープモードであるときのみオフとされており、前記制御手段は、前記スリープモードにおいて前記電源スイッチ手段がオフされたとき、前記リレーをオンさせる構成としても良い。
【００１３】
本発明のデータの保存方法は、オン／オフにより電源の供給を制御する電源スイッチ手段と、前記電源スイッチ手段と並列に接続されたリレーと、当該画像形成装置の設定値及び状態を含むデータが記憶される記憶装置と、を有する画像形成装置によるデータの保存方法であって、
前記電源スイッチ手段がオフされてから前記電源の供給が保持される所定の電圧保持期間の間に、前記電源スイッチ手段がオフされたことを検出して前記リレーをオフからオンとし、前記記憶装置への前記データの保存を実行させるデータの保存方法とした。
【発明の効果】
【００１４】
本発明によれば、スリープモードへ移行する際の移行時間を短くして消費電力を低減させることができる。
【図面の簡単な説明】
【００１５】
【図１】第一の実施形態の画像形成装置を説明するための図である。
【図２】第一の画像形成装置の動作を説明するフローチャートである。
【図３】第一の実施形態の画像形成装置におけるデータの保存のタイミングを説明するための図である。
【図４】第二の実施形態の画像形成装置におけるデータの保存のタイミングを説明するための図である。
【図５】第三の実施形態の画像形成装置を説明するための図である。
【図６】第三の実施形態の画像形成装置におけるデータの保存のタイミングを説明するための図である。
【図７】第四の実施形態の画像形成装置を説明するための図である。
【図８】第四の実施形態の画像形成装置におけるデータの保存のタイミングを説明するための図である。
【発明を実施するための形態】
【００１６】
本発明では、ＨＤＤへのデータ保存を行うタイミングを、電源スイッチオフ時に限定することで、スリープモードへ移行する際の移行時間を短くして消費電力を低減させる。
（第一の実施形態）
以下に図面を参照して本発明の第一の実施形態について説明する。図１は、第一の実施形態の画像形成装置を説明するための図である。
【００１７】
本実施形態の画像形成装置１００は、ＡＣ（Alternating Current）電源１０から電源が供給されて動作する。本実施形態の画像形成装置１００は、電源供給装置１１０、ＣＰＵ（Central Processing Unit）１２０、ＨＤＤ１３０、ＲＡＭ（Random Access Memory）１４０、負荷１５０を有する。
【００１８】
電源供給装置１１０は、ＣＰＵ１２０、負荷１５０を含む画像形成装置１００全体へＡＣ電源１０から供給される電源を供給する。本実施形態の電源供給装置１１０は、電源スイッチ１１１、ＡＣ／ＤＣコンバータ１１２、リレー１１３、リレー駆動回路１１４、コンデンサＣ１を有し、ＡＣ電源１０から電源スイッチ１１を介して供給されるＡＣ電圧をＡＣ／ＤＣコンバータ１１２によりＤＣ（Direct Current）電圧に変換し、ＣＰＵ１２０や負荷１５０の電源として供給する。
【００１９】
電源スイッチ１１１は、オン／オフによりＡＣ電源１０から画像形成装置１００に対する電源の供給を制御する。電源スイッチ１１１がオフとされた場合はＡＣ電源１０から画像形成装置１００への電圧の供給は切断され、電源スイッチ１１１がオンとされた場合はＡＣ電源１０から画像形成装置１００への電圧が供給される。
【００２０】
ＡＣ／ＤＣコンバータ１１２は、ＡＣ電源１０からのＡＣ電圧をＣＰＵ１２０と負荷１５０のそれぞれの動作に必要な所定レベルのＤＣ電圧に変換する。
【００２１】
リレー１１３は、電源スイッチ１１１と並列に接続されており、リレー駆動回路１１４によりオン／オフが制御される。リレー駆動回路１１４は、ＣＰＵ１２０からの指示に基づき、リレー１１３の駆動を制御する。コンデンサＣ１は、補助電源として電圧を保持する。
【００２２】
本実施形態のＣＰＵ１２０は、画像形成装置１００の動作を制御する。特に本実施形態では、ＣＰＵ１２０はＨＤＤ１３０へのデータの保存処理を制御する。以下に本実施形態のＣＰＵ１２０の機能を説明する。尚本実施形態のＣＰＵ１２０は、例えば画像形成装置１００内に保存されたプログラムを読み出して実行することで、以下の各部の機能を実現できる。
【００２３】
本実施形態のＣＰＵ１２０は、電源オフ検出部１２１、リレー制御部１２２、保存処理部１２３を有する。
【００２４】
電源オフ検出部１２１は、電源スイッチ１１１の状態を監視し、電源スイッチ１１１がオフされたとき、オフ検出信号をする。具体的には電源オフ検出部１２１は、電源スイッチラインＬ１がローレベル（GND、以下Ｌレベル）となったとき、電源スイッチ１１１がオフであると検出し、オフ検出信号を出力する。オフ検出信号は、リレー制御部１２２と保存処理部１２３とへ出力される。また電源オフ検出部１２１は、電源スイッチラインＬ１がハイレベル（以下、Ｈレベル）である場合は電源スイッチ１１１がオンであると検出する。
【００２５】
リレー制御部１２２は、リレー駆動回路１１４を制御してリレー１１３のオン／オフを制御する。本実施形態のリレー制御部１２２は、電源オフ検出部１２１から出力されるオフ検出信号を受けて、リレー駆動回路１１４にリレーをオンさせる指示信号（以下、オン信号）を出力する。また本実施形態のリレー制御部１２２は、後述する保存処理部１２３によるデータの保存処理が終了すると、リレー駆動回路１１４へリレー１１３をオフさせる指示信号（以下、オフ信号）を出力する。
【００２６】
保存処理部１２３は、データをＨＤＤ１３０へ保存する処理を行う。本実施形態の保存処理部１２３は、電源オフ検出部１２１から出力されるオフ検出信号を受けて、データの保存を開始する。また本実施形態の保存処理部１２３は、保存処理が終了した際にリレー制御部１２２へ保存処理の終了を通知しても良い。
【００２７】
尚ＨＤＤ１３０へ保存されるデータとは、例えば画像形成装置１００における各種の設定値や、画像形成装置１００のシステム状態を示すデータ等である。システム状態を示すデータとは、例えば画像形成装置１００において印刷された用紙の枚数、画像形成装置１００のトナーの残量、画像形成装置１００の利用に対する課金に係るデータ等である。
【００２８】
本実施形態のＨＤＤ１３０は、画像形成装置１００の有する記憶装置であり、ＣＰＵ１２０による保存処理によりデータが保存される。ＲＡＭ１４０は、ＣＰＵ１２０による処理の実行において使用される記憶装置であり、例えばＣＰＵ１２０の演算結果等が一時的に保存されても良い。負荷１５０は、例えば画像形成装置１００の有する電子回路等である。
【００２９】
次に、図２を参照して本実施形態の画像形成装置１００の動作を説明する。図２は、第一の画像形成装置の動作を説明するフローチャートである。
【００３０】
本実施形態の画像形成装置１００において、ＣＰＵ１２０の電源オフ検出部１２１により電源供給装置１１０の電源スイッチ１１１のオフが検出されると、オフ検出信号がリレー制御部１２２へ出力される（ステップＳ２０１）。リレー制御部１２２はオン信号をリレー駆動回路１１４へ出力する。リレー駆動回路１１４は、このオン信号を受けてリレー１１３をオンさせる（ステップＳ２０２）。
【００３１】
また電源オフ検出部１２１からのオフ検出信号は、保存処理部１２３にも出力される。保存処理部１２３はオフ検出信号を受けて、データの保存処理を開始する（ステップＳ２０３）。保存処理部１２３によるデータの保存が完了すると（ステップＳ２０４）、リレー制御部１２２は、リレー駆動回路１１４へオフ信号を出力する（ステップＳ２０５）。リレー駆動回路１１４は、このオフ信号を受けてリレー１１３をオフさせる。リレー１１３がオフされると、画像形成装置１００に対する電源の供給は完全に遮断される。
【００３２】
以下に図３を参照して本実施形態の画像形成装置１００におけるデータの保存のタイミングを説明する。図３は、第一の実施形態の画像形成装置におけるデータの保存のタイミングを説明するための図である。
【００３３】
本実施形態の画像形成装置１００では、動作モード、待機モード、スリープモードの３つのモードを有し、図３では、その中のいずれかのモードにあることを想定して説明する。
【００３４】
尚本実施形態の動作モードとは、画像形成装置１００の機能を実行している状態を示す。例えば画像形成装置１００が、コピー機能、印刷機能の実行が可能である場合、コピー機能の実行中や印刷機能の実行中の状態を動作モードと呼ぶ。待機モードは、画像形成装置１００が機能の実行指示を待っている状態を示す。スリープモードとは、低消費電力の状態を示す。
【００３５】
図３において、「入力電圧ＡＣ波形」は、ＡＣ電源１０の電圧波形を示している。また「電源スイッチ」及び「リレー」は、それぞれ電源スイッチ１１１、リレー１１３のオン／オフを示しており、Ｈレベルがオン、Ｌレベルがオフを意味する。「出力ＤＣ電圧」はＡＣ／ＤＣコンバータ１１２の出力電圧を示し、Ｈレベルが所定の電圧を、Ｌレベルが０Ｖを示す。
【００３６】
本実施形態の画像形成装置１００において、ユーザがタイミングｔ１で電源スイッチ１１１をオンすると、「電源スイッチ」の出力はＨレベルとなり、出力ＤＣ電圧が立ち上って所定の電圧まで上昇する。ここでＣＰＵ１２０は、電源スイッチ１１１の状態を確認してリレー駆動回路１１４へオフ信号を送ることで、「リレー」はオフとなる。
【００３７】
次にタイミングｔ２で、ユーザにより電源スイッチ１１１がオフされた場合を考える。
【００３８】
従来の画像形成装置では、ＡＣ／ＤＣコンバータ１１２への入力であるＡＣ電源１０は遮断され、ＡＣ／ＤＣコンバータ１１２のＤＣ出力は所定の期間ｔ０(以下、電圧保持期間ｔ０)の間電圧を保持した後で、電源供給装置１１０の出力は停止する。尚電圧保持期間ｔ０は、コンデンサＣ１の容量に依存する。
【００３９】
しかし本実施形態では、電圧保持期間ｔ０の間に電源オフ検出部１２１が電源スイッチ１１１の出力がＬレベルになったことを検出し、タイミングｔ３でリレー１１３を駆動させる。また、同タイミングｔ３で保存処理部１２３は保存処理を開始する。
【００４０】
すなわち本実施形態では、タイミングｔ２からタイミングｔ３の間に、電源オフ検出部１２１がオフ検出信号をリレー制御部１２２と保存処理部１２３とに出力する。リレー制御部１２２はリレー駆動回路１１４にオン信号を出力してタイミングｔ３でリレー１１３をオンさせる。保存処理部１２３は、タイミングｔ３でデータの保存処理を開始する。
【００４１】
そしてタイミングｔ４において、保存処理部１２３による保存処理が完了すると、リレー制御部１２２はリレー駆動回路１１４にオフ信号を出力してリレー１１３をオフさせる。この処理によって「リレー」はオフとなり、電源供給装置１１０からの電源の供給が停止する。
【００４２】
以上に説明したように、本実施形態の画像形成装置１００では、電源スイッチ１１１がオフされたときにのみデータの保存を行う。よって本実施形態では、スリープモード移行時にデータの保存することに起因するスリープモード移行時間の長時間化、スリープモード移行時間の長時間化による消費電力の増大は発生せず、消費電力を低減させることができる。
【００４３】
（第二の実施形態）
以下に図面を参照して本発明の第二の実施形態について説明する。本発明の第二の実施形態では、動作モード及び待機モードにおいては常にリレーをオンさせる点が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００４４】
本実施形態では、画像形成装置１００が動作モード又は待機モードにある場合には、リレー１１３は常にオンとする。そして画像形成装置１００がスリープモードへ移行したときのみ、リレー１１３がオフとなる。
【００４５】
画像形成装置１００が動作モード又は待機モードにある場合、負荷１５０が大きくなるため、電圧保持期間ｔ０が短くなる。そのため、電源スイッチ１１１がオフにされたときに、電圧保持期間ｔ０の間にリレー１１１をオンできず、データの保存処理が行えないという不具合が発生する虞がある。
【００４６】
そこで本実施形態では、負荷の大きい動作モードと待機モードにおいては、電源スイッチ１１１がオンであってもリレー１１３をオンとし、負荷の小さいスリープモードにおいてはリレー１１３をオフさせる。
【００４７】
図４は、第二の実施形態の画像形成装置におけるデータの保存のタイミングを説明するための図である。
【００４８】
図４では、リレー１１３がオフであるスリープモード中に電源スイッチ１１１がオフされた場合を示している。
【００４９】
図４において、タイミングｔ５までは画像形成装置１００は待機モードであり、リレー１１３はオンである。タイミングｔ５において待機モードからスリープモードへ移行すると、リレー１１３はオフとなる。
【００５０】
尚従来のデータの保存処理では、スリープモード移行時にデータの保存処理を行っており、この動作によって数秒程度の時間を要し、スリープモード移行のタイミングがタイミングｔ６となってしまう。
【００５１】
しかし、本実施形態によれば、電源スイッチ１１１がオフされたタイミングでデータの保存処理を行うため、スリープモード移行にかかる時間が不要となる。本実施形態では、電源スイッチ１１１がオフされたタイミングｔ７でＡＣ電源１０の遮断を電源オフ検出部１２１が検出し、タイミングｔ８において電圧保持期間ｔ０内にリレー１１３をオンにする。そして、タイミングｔ９においてデータ保存処理が終了と同時にリレー１１３をオフとし、データの保存処理を終了する。
【００５２】
本実施形態では、例えば動作モード及び待機モードの負荷が大きい場合にも、電圧保持期間ｔ０内に確実にリレー１１３をオンさせることができる。また本実施形態では、さらに、従来においてスリープモード移行にかかっていた時間分（図４の時間ｔ５６）の消費電力を低減することができる。
【００５３】
（第三の実施形態）
以下に図面を参照して本発明の第三の実施形態について説明する。本発明の第三の実施形態では、電圧保持期間ｔ０を十分長い期間とするものである。本発明の第三の実施形態の説明では、第一の実施形態との相違点についてのみ説明し、第一の実施形態と同様の機能構成を有するものには第一の実施形態の説明で用いた符号と同様の符号を付与し、その説明を省略する。
【００５４】
図５は、第三の実施形態の画像形成装置を説明するための図である。本実施形態の画像形成装置１００Ａは、電源供給装置１１０ＡにおいてコンデンサＣ１と接続された補助電源１１５を有する。
【００５５】
本実施形態の画像形成装置１００Ａでは、補助電源１１５を有することで、電圧保持期間ｔ０をリレー１１３をオフするのに係る時間と比べて十分長い時間とすることができる。
【００５６】
本実施形態の補助電源１１５は、例えば短時間で充放電が可能で長寿命である電気二重層コンデンサ等の大容量のキャパシタで構成することが好ましい。
【００５７】
図６は、第三の実施形態の画像形成装置におけるデータの保存のタイミングを説明するための図である。
【００５８】
本実施形態では、コンデンサＣ１に補助電源１１５を設けたため、電圧保持期間ｔ０を０タイミングｔ２で電源スイッチ１１１がオフされてから、リレー１１３をオフしデータの保存処理を開始するのに十分な長さとすることができる。
【００５９】
（第四の実施形態）
以下に図面を参照して本発明の第四の実施形態について説明する。本発明の第四の実施形態では、電源オフ検出部を論理回路で構成した点が第一の実施形態と相違する。本発明の第四の実施形態の説明では、第一の実施形態との相違点についてのみ説明し、第一の実施形態と同様の機能構成を有するものには第一の実施形態の説明で用いた符号と同様の符号を付与し、その説明を省略する。
【００６０】
図７は、第四の実施形態の画像形成装置を説明するための図である。本実施形態の画像形成装置１００Ｂは、電源供給装置１１０Ｂが電源オフ検出部１２１Ａを有する。
【００６１】
本実施形態の電源オフ検出部１２１Ａは、論理回路であるＮＡＮＤ回路１１６で構成されている。
【００６２】
ＮＡＮＤ回路１１６の一方の入力は電源ラインＬ１と接続されており、他方の入力はＣＰＵ１２０の端子Ｔと接続されている。ＣＰＵ１２０の端子Ｔは、ＣＰＵ１２０のレベルを出力しており、ＣＰＵ１２０に電源が供給されている場合はＨレベルの信号を出力する。すなわち端子Ｔから出力される信号は、常にＨレベルである。ＮＡＮＤ回路１１６の出力は、リレー駆動回路１１４へ供給される。尚本実施形態のリレー駆動回路１１４は、Ｈレベルの信号が入力されるとリレー１１３をオフとし、Ｌレベルの信号が入力されるとリレー１１３をオンとするものとした。
【００６３】
本実施形態の画像形成装置１００Ｂにおいて、電源スイッチ１１１がオンとされると、電源ラインＬ１のレベルはＬレベルとなり、端子ＴのレベルはＨレベルとなる。よってＮＡＮＤ回路１１６の出力はＨレベルとなる。Ｈレベルの信号がリレー駆動回路１１４へ入力されると、リレー１１３はオフとされる。
【００６４】
本実施形態の画像形成装置１００Ｂにおいて、電源スイッチ１１１がオフとされると、電源ラインＬ１のレベルがＨレベルとなるこのときコンデンサＣ１が電圧を保持しているため端子Ｔ１のレベルはＨレベルである。よってＮＡＮＤ回路１１６の出力はＬレベルとなり、リレー駆動回路１１４にはＬレベルの信号が入力される。
【００６５】
リレー駆動回路１１４は、Ｌレベルの信号を受けてリレー１１３をオンとする。また本実施形態のＣＰＵ１２０では、電源オフ検出部１２１により電源スイッチ１１１のオフを検出しており、保存処理部１２３へオフ検出信号を出力している。保存処理部１２３は、オフ検出信号を受けてデータの保存処理を開始する。保存処理部１２３によるデータの保存処理が終了すると、ＣＰＵ１２０はデータ保存処理を終えたことを検知し、端子ＴのレベをＬレベルに落とす。この処理によってＮＡＮＤ回路１１６の出力はＨレベルとなり、リレー１１３をオフさせる。以上の処理で、電源供給装置１１０Ｂからの電源の供給を停止させる。
【００６６】
次に図８を参照して本実施形態の画像形成装置１００Ｂにおけるデータの保存のタイミングを説明する。図８は、第四の実施形態の画像形成装置におけるデータの保存のタイミングを説明するための図である。
【００６７】
図８において、「スイッチ状態」は電源スイッチ１１１がオン（Ｌレベル）であるか、オフ（Ｈレベル）であるかを示し、「ＣＰＵ状態」はＮＡＮＤ回路１１６に接続されているＣＰＵ１２０の端子Ｔのレベルを示している。
【００６８】
最初にＣＰＵ１２０のＮＡＮＤ回路１１６への接続ポート（端子Ｔ）の状態は、電源スイッチ１１１がオンしてから基本的にＨレベルを保つ。ここで、タイミングｔ１０で電源スイッチ１１１をオフした場合、ＮＡＮＤ回路１１６は電源ラインＬ１のレベルの変化を検出し、ＣＰＵ１２０の端子Ｔのレベルと比較した信号をリレー駆動回路１１４を介してリレー１１３へ与える。
【００６９】
このことによって、ＣＰＵ１２０の電圧オフ検出部１２１により電源スイッチ１１１のオフを検出してリレー１１３をオンさせるタイミングｔ１２(図３のタイミングｔ３に相当)よりも早いタイミングｔ１１でリレー１１３をオンさせることができる。
【００７０】
また、タイミングｔ１３においてデータの保存処理の終了した時には、ＣＰＵ１２０はデータの保存処理を終えたことを検知し、ＮＡＮＤ回路１１６との接続ポートである端子ＴをＬレベルに落とす。本実施形態では、この構成により、タイミングｔ１４においてリレー１１３がオフとなった後に、画像形成装置１００ＢへのＡＣ電源の供給が完全に遮断される。
【００７１】
本実施形態では、以上に説明したように電源スイッチ１１１がオフされたことをハードウェアであるＮＡＮＤ回路１１６で検出することにより、電源スイッチ１１１のオフからリレー１１３がオンされるまでの時間を短くすることができる。よって本実施形態では、電圧保持期間ｔ０を確保するためにコンデンサＣ１の容量を増加させる必要性を排除できる。
【００７２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００７３】
１００、１００Ａ、１００Ｂ  画像形成装置
１１０、１１０Ａ、１１０Ｂ  電源供給装置
１１１  電源スイッチ
１１２  ＡＣ／ＤＣコンバータ
１１３  リレー
１１４  リレー駆動回路
１１５  補助電源
１１６  ＮＡＮＤ回路
１２０  ＣＰＵ
１２１、１２１Ａ  電源オフ検出部
１２２  リレー制御部
１２３  保存処理部
【先行技術文献】
【特許文献】
【００７４】
【特許文献１】特開平９−６８８９７号公報
【図１】
0005531522.tif 000002
【図２】
0005531522.tif 000003
【図３】
0005531522.tif 000004
【図４】
0005531522.tif 000005
【図５】
0005531522.tif 000006
【図６】
0005531522.tif 000007
【図７】
0005531522.tif 000008
【図８】
0005531522.tif 000009